(57)【要約】【課題】　毛髪を損傷させることなく、縮毛（縮れた毛髪）に対して優れたストレート効果とその保持性を有するストレートパーマを付与できるパーマネントウエーブ用第１剤を提供する。【解決手段】　還元剤２〜１１重量％とジチオジグリコール酸ジアンモニウム０．２〜４重量％を含有させて、縮毛に塗布後、表面温度が６０〜２２０℃のヘアーストレート用アイロンによりストレート化処理するのに用いるパーマネントウエーブ用第１剤を構成する。　上記パーマネントウエーブ用第１剤には、カルボキシメチルセルロースまたはその塩、プルランまたはその誘導体およびＮ−〔２−ヒドロキシ−３−〔３−（ジヒドロキシメチルシリル）プロポキシ〕プロピル〕加水分解ペプチドよりなる群から選ばれる少なくとも１種を含有させることが好ましい。【選択図】　　　　図１
2004002459.tif 000002
【特許請求の範囲】
【請求項１】
還元剤２〜１１重量％とジチオジグリコール酸ジアンモニウム０．２〜４重量％を含有し、縮毛に塗布後、表面温度が６０〜２２０℃のヘアーストレート用アイロンによりストレート化処理するのに用いることを特徴とするパーマネントウエーブ用第１剤。
【請求項２】
請求項１記載のパーマネントウエーブ用第１剤を縮毛に塗布後、５〜３０分間放置し、水洗し、水分が一部残った状態に乾燥した後、表面温度が６０〜２２０℃のヘアーストレート用アイロンを用いて、上記縮毛をストレート化処理することを特徴とする縮毛に対するストレートパーマの施術方法。
【発明の詳細な説明】
【技術分野】
【０００１】
　本発明は、ストレートパーマ用のパーマネントウエーブ用第１剤およびそれを用いた縮毛（縮れた毛髪）に対するストレートパーマの施術方法に関する。
【背景技術】
【０００２】
　いわゆる「くせ毛」と呼ばれる縮毛をパーマネントウエーブ用剤によりストレート（真っ直ぐ）に伸ばすためのストレートパーマ処理（縮毛矯正処理）は、チオグリコール酸またはその塩、システインまたはその塩などからなる還元剤と、アンモニア水、モノエタノールアミン、炭酸水素アンモニウムなどのアルカリ剤を含有し、さらに必要に応じて、湿潤剤、界面活性剤、安定化剤などを適宜含有するパーマネントウエーブ用第１剤を縮毛に塗布し、縮毛をストレート（真っ直ぐ）に伸ばし、その状態で毛髪中のジスルフィド結合を還元剤で還元開裂してメルカプト基を生成させ、ついで第２剤を塗布し、縮毛をストレートにした状態で酸化剤により上記のメルカプト基を酸化して元の位置とは異なる位置でジスルフィド基を再形成させて縮毛をストレートにするものである。
【特許文献１】特開平７−１０１８４０号公報
【発明の開示】
【発明が解決しようとする課題】
【０００３】
　しかしながら、従来のパーマネントウエーブ用剤によるストレートパーマ処理では、ストレート効果やその保持性が充分でなく、洗髪や高湿度下において、元の状態に戻ったり、あるいは元の状態に近い状態に戻ってしまうという問題があった。
【０００４】
　従って、本発明は、上記のような従来技術における問題点を解決し、毛髪を損傷させることなく、縮毛に対して優れたストレート効果とその保持性を有するストレートパーマを付与することができるパーマネントウエーブ用第１剤を提供することを目的とする。
【課題を解決するための手段】
【０００５】
　本発明者らは、上記課題を解決するため鋭意研究を重ねた結果、パーマネントウエーブ用第１剤を還元剤２〜１１重量％とジチオジグリコール酸ジアンモニウム０．２〜４重量％を含有させて調製し、その還元剤を２〜１１重量％含有し、ジチオジグリコール酸ジアンモニウムを０．２〜４重量％を含有するパーマネントウエーブ用第１剤を縮毛に塗布後、表面温度が６０〜２２０℃のヘアーストレート用アイロンを用いて、上記縮毛をストレート化処理するときは、縮毛に対して優れたストレート効果とその保持性を有するストレートパーマを付与できることを見出し、本発明を完成するにいたった。
【発明の効果】
【０００６】
　本発明のパーマネントウエーブ用第１剤は、毛髪を損傷させることなく、ストレート効果およびその保持性が優れたストレートパーマを付与することができる。
【発明を実施するための最良の形態】
【０００７】
　本発明のパーマネントウエーブ用第１剤は還元剤を含有するが、この還元剤は従来のパーマネントウエーブ用第１剤に用いられているものと同様のものを用いることができ、そのような還元剤としては、例えば、チオグリコール酸やチオグリコール酸アンモニウムなどのチオグリコール酸塩、システイン、システイン塩酸塩などのシステイン酸塩、Ｎ−アセチルシステインなどのシステイン誘導体、チオグリセリルアルキルエーテル、メルカプトアルキルアミド、亜硫酸塩、亜硫酸水素塩などが挙げられ、これらの還元剤は、毛髪を構成するケラチン中のジスルフィド結合を還元してメルカプト基を生成させ、第２剤中に含有される酸化剤とともに、縮毛をストレートパーマ処理する基材となるものである。
【０００８】
　そして、上記還元剤はそれぞれ単独でまたは２種以上を組み合わせて用いることができ、その還元剤のパーマネントウエーブ用第１剤中の含有量（パーマネントウエーブ用第１剤への配合量）としては、２〜１１重量％であることが必要であり、、特に４〜１１重量％であることが好ましい。還元剤のパーマネントウエーブ用第１剤中の含有量が２重量％より少ない場合は、縮毛を充分にストレートパーマ処理することができず、還元剤のパーマネントウエーブ用第１剤中の含有量が１１重量％より多い場合は、毛髪が損傷を受け、毛髪の艶や均一なスベリ（滑り）感が低下するようになる。
【０００９】
　また、本発明のパーマネントウエーブ用第１剤には、ジチオジグリコール酸ジアンモニウムを含有させるが、このジチオジグリコール酸ジアンモニウムは還元剤の還元力を調整する作用を有するものであるが、特に還元剤としてチオグリコール酸や、チオグリコール酸アンモニウムなどのチオグリコール酸塩を用いるときは、その平衡反応によりチオグリコール酸やチオグリコール酸塩の還元力を調整する作用が優れている。
【００１０】
　上記ジチオジグリコール酸ジアンモニウムのパーマネントウエーブ用第１剤中の含有量としては、０．２〜４重量％であることが必要であり、特に０．５〜４重量％であることが好ましい。ジチオジグリコール酸ジアンモニウムのパーマネントウエーブ用第１剤中の含有量が０．２重量％より少ない場合は、還元剤の還元力をコントロールする作用が充分に発揮できず、そのため、毛髪が損傷を受け、毛髪が艶や均一なスベリ（滑り）感が低下し、ジチオジグリコール酸ジアンモニウムのパーマネントウエーブ用第１剤中の含有量が４重量％より多い場合は、縮毛を充分にストレートパーマ処理することができなくなるおそれがある。
【００１１】
　本発明のパーマネントウエーブ用第１剤には、上記還元剤やジチオジグリコール酸ジアンモニウム以外に、パーマネントウエーブ用第１剤に通常含有されている任意成分を含有させることができる。そのような任意成分としては、例えば、炭酸水素アンモニウム、アンモニア水、モノエタノールアミン、水酸化カリウムなどのアルカリ剤、アニオン性界面活性剤、カチオン性界面活性剤、両性界面活性剤、ノニオン性界面活性剤などの各種界面活性剤、カルボキシメチルセルロースまたはその塩、プルランまたはその誘導体、カラギーナン、キサンタンガム、各種アルキロールアミドなどの増粘剤、プロピレングリコール、１，３−ブチレングリコール、グリセリンなどの湿潤剤、パラフィン、脂肪酸エステル、動植物油などの油脂類、セチルアルコール、ステアリルアルコール、オレイルアルコールなどの高級アルコール、コラーゲン、ケラチン、絹、大豆タンパク、小麦タンパクなどの動植物由来のタンパク質の加水分解物やその誘導体、毛髪保護剤、防腐剤、安定剤、抗炎症剤、着色剤、キレート剤、香料などが挙げられる。
【００１２】
　本発明のパーマネントウエーブ用第１剤は、縮毛をストレートパーマ処理するためのものであって、通常のパーマネントウエーブ用第１剤のようにストレートな毛髪にウエーブを付与するものとは異なるが、縮毛に対してそれをストレートにするためのウエーブを付与するという考え方もできることと、当業者間に縮毛をストレートにするための矯正剤もパーマネントウエーブ用剤と呼ばれていることから、本発明においても、それに従ってパーマネントウエーブ用第１剤と表現する。
【００１３】
　本発明のパーマネントウエーブ用第１剤は、後に詳しく説明するように、表面温度が６０〜２２０℃のヘアーストレート用アイロンを用いて縮毛のストレート化処理をするので、上記ヘアーストレート用アイロンによるストレート化処理時に毛髪が熱によって損傷を受けるのを防止できるような成分をパーマネントウエーブ用第１剤中に含有させておくことが好ましい。そのような成分としては、カルボキシメチルセルロースまたはその塩が好ましく、このカルボキシメチルセルロースまたはその塩は毛髪をヘアーストレート用アイロンの熱から保護するとともに、パーマネントウエーブ用第１剤に粘性を付与し、かつ毛髪に対してコンディショニング作用を有している。
【００１４】
　上記カルボキシメチルセルロースまたはその塩としては、例えば、エーテル化度が２以上のカルボキシメチルセルロースのアルカリ金属塩またはアンモニウム塩が特に好ましく、その平均分子量としては１０万〜２０万程度が適している。そのようなカルボキシメチルセルロース塩の市販品としては、例えば、ダイセル化学工業（株）からアーネストガムＦＤＭなどの商品名で上市されている。
【００１５】
　このカルボキシメチルセルロースまたはその塩のパーマネントウエーブ用第１剤の含有量としては、０．１〜１０重量％、特に１〜５重量％が好ましい。
【００１６】
　また、本発明のパーマネントウエーブ用第１剤中には、プルランまたはその誘導体を含有させることが好ましい。すなわち、プルランまたはその誘導体は、毛髪をヘアーストレート用アイロンの熱から保護する作用を有するとともに、パーマネントウエーブ用第１剤に粘性を付与し、かつ毛髪に対してコンディショニング作用を有している。
【００１７】
　上記プルランは、マルトトリース（グルコース３分子がα−１，４結合）が規則正しく、α−１，６結合した４，４，６−トリグリコポリサッカライド（４，４，６−Ｔｒｉｇｌｕｃｏｐｏｌｙｓａｃｃｈａｒｉｄｏ）であり、澱粉を原料とし、酵母培養で得られる。そのようなプルランの市販品としては、例えば、林原商事（株）からプルランＰＦ−２０（分子量約２０万の食品グレード）、プルランＰＩ−２０（ＰＦ−２０を脱塩処理したグレード）などの商品名で上市されている。また、プルランの誘導体としては、例えば、プルランの脂肪酸エステルなどが挙げられる。
【００１８】
　このプルランまたはその誘導体のパーマネントウエーブ用第１剤中の含有量としては、０．１〜１０重量％、特に０．５〜５重量％が好ましい。
【００１９】
　さらに、本発明のパーマネントウエーブ用第１剤には、Ｎ−〔２−ヒドロキシ−３−〔３−（ジヒドロキシメチルシリル）プロポキシ〕プロピル〕加水分解ペプチドを含有させることが好ましい。このＮ−〔２−ヒドロキシ−３−〔３−（ジヒドロキシメチルシリル）プロポキシ〕プロピル〕加水分解ペプチドは、毛髪をヘアーストレート用アイロンの熱から保護する作用を有するとともに、毛髪に対するコンディショニング作用を有し、かつ持続性のある耐湿性の被膜形成作用を有している。
【００２０】
　このＮ−〔２−ヒドロキシ−３−〔３−（ジヒドロキシメチルシリル）プロポキシ〕プロピル〕加水分解ペプチドとしては、例えば、Ｎ−〔２−ヒドロキシ−３−〔３−（ジヒドロキシメチルシリル）プロポキシ〕プロピル〕加水分解コラーゲン、Ｎ−〔２−ヒドロキシ−３−〔３−（ジヒドロキシメチルシリル）プロポキシ〕プロピル〕加水分解ケラチン、Ｎ−〔２−ヒドロキシ−３−〔３−（ジヒドロキシメチルシリル）プロポキシ〕プロピル〕加水分解シルク、Ｎ−〔２−ヒドロキシ−３−〔３−（ジヒドロキシメチルシリル）プロポキシ〕プロピル〕加水分解カゼイン、Ｎ−〔２−ヒドロキシ−３−〔３−（ジヒドロキシメチルシリル）プロポキシ〕プロピル〕加水分解小麦タンパクペプチド、Ｎ−〔２−ヒドロキシ−３−〔３−（ジヒドロキシメチルシリル）プロポキシ〕プロピル〕加水分解大豆タンパクペプチド、Ｎ−〔２−ヒドロキシ−３−〔３−（ジヒドロキシメチルシリル）プロポキシ〕プロピル〕加水分解酵母タンパクペプチドなどが挙げられるが、特にＮ−〔２−ヒドロキシ−３−〔３−（ジヒドロキシメチルシリル）プロポキシ〕プロピル〕加水分解コラーゲンが毛髪をヘアーストレート用アイロンの熱から保護する作用が優れていることから好ましい。
【００２１】
　上記Ｎ−〔２−ヒドロキシ−３−〔３−（ジヒドロキシメチルシリル）プロポキシ〕プロピル〕加水分解コラーゲンは、コラーゲンを加水分解して得られるコラーゲンペプチドに３−グリシドキシプロピルメチルジヒドロキシシランを付加した第４級化加水分解コラーゲンであり、そのようなＮ−〔２−ヒドロキシ−３−〔３−（ジヒドロキシメチルシリル）プロポキシ〕プロピル〕加水分解コラーゲンの市販品としては、例えば、（株）成和化成からプロモイスＷ−５２ＳＩＧなどの商品名で上市されている。
【００２２】
　そして、上記Ｎ−〔２−ヒドロキシ−３−〔３−（ジヒドロキシメチルシリル）プロポキシ〕プロピル〕加水分解ペプチドのパーマネントウエーブ用第１剤の含有量としては、０．１〜１０重量％、特に０．３〜５重量％が好ましい。
【００２３】
　本発明のパーマネントウエーブ用第１剤を用いて縮毛をストレートパーマ処理する一例を示すと、まず、縮毛に本発明のパーマネントウエーブ用第１剤を塗布し、５〜３０分間放置した後、水洗し、その後、水分が一部残った状態（好ましくは８０〜９０％の乾燥度）で乾燥する。
【００２４】
　ついで、この状態（つまり、上記パーマネントウエーブ用第１剤が縮毛の組織中に浸透した状態）で縮毛を表面温度が６０〜２２０℃のヘアーストレート用アイロンによりストレート化処理する。そして、このヘアーストレート用アイロンによるストレート化処理後は、従来と同様にパーマネントウエーブ用第２剤で毛髪中のメルカプト基（ジスルフィド結合の切断により生成したメルカプト基）を酸化してジスルフィド結合を元の位置とは異なる位置で再生させ、ストレートにした毛髪を固定化する。
【００２５】
　本発明のパーマネントウエーブ用第１剤に引き続き使用するパーマネントウエーブ用第２剤としては、従来と同様のものでよく、例えば、臭素酸カリウム、臭素酸ナトリウム、過ホウ酸ナトリウム、過酸化水素の酸化剤を１〜２０重量％、好ましくは２〜１２重量％含有するパーマネントウエーブ第２剤が挙げられる。
【００２６】
　上記ヘアーストレート用アイロンは、表面温度を６０〜２２０℃に加熱でき、縮毛をストレート化することができるものであれば特に特定のものに限られることなく各種のものを用い得るが、例えば、図１に示すものが好適に用いられる。この図１に示すヘアーストレート用アイロンは、握り部４と、電熱ヒーターを備えたプレート部６と、前記握り部４とプレート部６との間に位置する支点部５とを有する本体１と、前記握り部４と対向するレバー部１５と、電熱ヒータを備え、本体１のプレート部６に対向するプレート部１７と、前記レバー部１５とプレート部１７との間に位置する支点部１６とを有し、その支点部１６が前記本体１の支点部５に回動自在に支持されている挟み部材２とから構成されていることを特徴としている。
【００２７】
　このヘアーストレート用アイロンに関しては、本出願人が既に特願平１０−１８２８００号として特許出願をしているが、このヘアーストレート用アイロンについて詳しく説明すると、本体１は、握り部４と、その握り部４の前端から下方に延びる支点部５と、その支点部５の下端から前方に延びるプレート部６とを有する。そして、図２に示すように、本体１は左右に２分割した半体１ａ、１ｂとして成形され、半体同士を合わせて接合することにより、一体の本体１となる。本体１のプレート部６には矩形状の凹所７が設けられ、その凹所７内に面状のヒーターＨを収容したプレート８が露出する状態で収容される。なお、凹所７の側壁には凹溝７ａが形成されており、プレート８の側面の突条８ａと嵌合して外れにくいようにしている。
【００２８】
　前記支点部５および握り部４も内部が空洞になっており、ヒーターＨを加熱する電源コード（図示せず）が通され、ＯＮ−ＯＦＦスイッチ（図示せず）を介して握り部４の後端などから外部に出るようにしている。さらに、支点部５の前面と、支点部５の後面から握り部４の前端の下部にかけて、それぞれ挟み部材２を通すための矩形状の開口部９、１０が形成されている。また、支点部５の内部の側壁には、挟み部材２を回動自在に支持するための円筒状の軸受け部１１と、バネ１２の上端を受けるバネ受け１３とが突設されている。バネ１２は挟み部材２をその前端側が常時開くように回動付勢するものである。プレート部６の周囲には、断面半円状の突条１４が設けられている。
【００２９】
　他方、挟み部材２は、図１のように組み立てたときの本体１の握り部４の下方に来るレバー部１５と、そのレバー部１５の前端の上部から前方に延びる支点部１６と、支点部１６と前端から前方に延びるプレート部１７とを備えている。上記プレート部１７は左右に分割されて製造され、プレート部１７の一方の半体１７ａが支点部１６の前端に連結された状態で一体成形されている。そして、他方の半体１７ｂはヒーターＨおよびプレート１８を収容した後に接合されるようにしている。挟み部材２のプレート部１７についても、その周囲に突条１４が設けられている。
【００３０】
　挟み部材２の支点部１６の後側の部分１６ｂは、前側の部分１６ａより下側にずらせた形態にしている。支点部１６の後側の部分１６ｂには、水平方向の孔２１が形成されている。この孔２１は、挟み部材２を本体１に回動自在に連結する回動軸２２が通される部分である。また、その孔２１の後方に縦向きの有底の穴２３が形成されている。この穴２３はバネ１２の下部を収容保持するためのものである。
【００３１】
　挟み部材２のレバー部１５は中央部で折れ曲がり、後端側が斜め下方に延びるようにしている。それにより薬指や小指をしっかりとかけることができる。
【００３２】
　上記の本体１のプレート部１６および挟み部材２のプレート部１７の側面から表面にかけては、フロッキー処理（植毛加工）を行なって、肌に当たったときに感ずる熱を緩和するようにしている。フロッキー処理は、プレート部の表面をナフサで溶かし、ナイロンパイル繊維を垂直に立たせるように植毛するなどにより行なうことができる。さらにプレート８、１８の表面側にはテフロン（登録商標）加工などの摩擦を低減する表面処理を行なうことにより、毛髪の滑りをよくしている。またテフロン（登録商標）加工を行なうことにより、非粘着性、耐熱性、耐食性を向上させることができる。なお、図１の符号２４はヒーターＨに通電していることを示すパイロットランプである。
【００３３】
　そして、上記ヘアーストレート用アイロンにより毛髪（または毛束）をストレート化処理するには、本体１のプレート部６と挟み部材２のプレート部１７との間に毛髪（または毛束）を挟んで加熱加圧する。
【００３４】
　本発明において、ヘアーストレート用アイロンの表面温度を６０〜２２０℃に設定しているのは、ヘアーストレート用アイロンの表面温度が６０℃より低い場合は、温度が低すぎるために縮毛を充分にストレート化することができず、ヘアーストレート用アイロンの表面温度が２２０℃より高い場合は、毛髪が損傷を受け、毛髪の艶や均一なスベリ感が低下するという理由によるものである。
【実施例】
【００３５】
　つぎに、実施例を挙げて本発明をより具体的に説明する。ただし、本発明はそれらの実施例のみに限定されるものではない。なお、以下の実施例などにおいては、溶液や分散液の濃度を示す％はいずれも重量％である。
【００３６】
実施例１〜２および比較例１
　表１に示す組成で３種類のパーマネントウエーブ用第１剤を調製した。なお、表１中に示す各成分の配合量を示す数値は重量部である。また、配合する成分で純分でないものについては、その濃度を成分名の末尾にカッコ（括弧）書きで示す。
【００３７】
【表１】
2004002459.tif 000003
【００３８】
※１：ダイセル化学工業（株）製のアーネストガムＦＤＭ（商品名）
※２：林原商事（株）製のプルランＰＦ−２０（商品名）
※３：（株）成和化成製のプロモイスＷ−５２ＳＩＧ（商品名）
※４：精製水の配合量のバランスとは、精製水によって全量を１００重量部にする量をい　　　う。
【００３９】
　上記実施例１〜２や比較例１のパーマネントウエーブ用第１剤と組み合わせて使用するパーマネントウエーブ用第２剤としては、精製水に臭素酸ナトリウムを１０重量％、リン酸水素二ナトリウムを１．０重量％およびリン酸（８５％）を０．１５重量％溶解させたパーマネントウエーブ用第２剤を調製した。
【００４０】
　ストレートパーマ処理に使用する縮毛としては、縮れの強い縮毛を用い、その縮れの程度がなるべく均一になるようにしつつ、上記縮毛から長さ１２ｃｍ（ただし、伸ばさずに自然の状態で測定）で重さ０．５ｇの毛束を作り、１毛束当たり５０ｍｌの洗浄液〔５ｗ／ｖ％ポリオキシエチレン（９）ラウリルエーテル、２０ｍＭ　ＥＤＴＡ、ｐＨ４．５〕で３３℃、６０分間インキュベーターで洗浄後、蒸留水で充分に洗浄し、ドライヤーで乾燥したものを準備した。
【００４１】
ストレートパーマ処理：
　上記毛束に実施例１〜２および比較例１のパーマネントウエーブ用第１剤をそれぞれ別々に１ｍｌずつ塗布し、４５℃にて１５分間放置した後、充分に水洗し、ドライヤーで一部水分が残った状態に乾燥した後、表面温度を１８０℃に設定したヘアーストレート用アイロンにより３秒間ずつ３回プレスして縮毛をストレート化処理し、ついで上記パーマネントウエーブ用第２剤を該毛束にそれぞれ１ｍｌずつ塗布し、３５℃にて１５分間放置した後、充分に水洗し、ドライヤーで乾燥して試料毛束とし、ストレートパーマ処理を終了した。
【００４２】
比較例２
　上記実施例１などと同様の毛束に実施例１と同組成のパーマネントウエーブ用第１剤を１ｍｌずつ塗布し、４５℃にて１５分間放置した後、充分に水洗し、ついで上記パーマネントウエーブ用第２剤を１ｍｌ塗布し、３５℃にて１５分間放置した後、充分に水洗し、ドライヤーにて乾燥して試料毛束として、ストレートパーマ処理を終了した。
【００４３】
　上記実施例１〜２および比較例１〜２に示すようにストレートパーマ処理した試料毛束について、毛髪のストレート率およびストレート保持率、毛髪の伸び、伸びの保持性、艶および均一なスベリ（滑り）感を調べ、かつ毛髪の引っ張り強度を測定した。さらに、ストレートな毛髪で長さ１２ｃｍ、重さ０．５ｇの毛束を作り、上記実施例１〜２および比較例１〜２のストレートパーマ処理と同様の処理をし、それを試料毛束として、毛髪の収縮率を測定した。それらの評価方法および評価結果について以下に詳細に説明する。
【００４４】
（１）毛髪のストレート率およびストレート保持率の測定
　上記実施例１〜２および比較例１〜２でストレートパーマ処理をした試料毛束の一端をパネルに固定して垂らし、全長を測定し、下記の式により、ストレート率を求めた。
【００４５】
　　　　　　　　　　　　　　Ａ−Ｂ
　　　ストレート率（％）＝──────×１００
　　　　　　　　　　　　　　Ｃ−Ｂ
　　　Ａ：ストレートパーマ処理後の毛束の全長（ｍｍ）
　　　Ｂ：ストレートパーマ処理前の毛束の自然状態（すなわち、縮れのある状態）での　　　　　全長（ｍｍ）
　　　Ｃ：ストレートパーマ処理前の毛束を真っ直ぐに伸ばした状態での全長（ｍｍ）
【００４６】
　つぎに、上記ストレートパーマ処理後の毛束を１日１回５％ラウリル硫酸ナトリウム水溶液に５分間浸漬し、水洗した後、乾燥した。
【００４７】
　このラウリル硫酸ナトリウム水溶液による洗浄処理を３０日間繰り返し行なった後、上記と同様にストレート率を調べ、それとストレートパーマ処理直後のストレート率とから、下記の式により、ストレート保持率を求めた。
【００４８】
　　　　　　　　　　　　　　３０日後のストレート率
　ストレート保持率（％）＝─────────────×１００
　　　　　　　　　　　　　　処理直後のストレート率
【００４９】
　上記ストレート率およびストレート保持率の結果を表２に示す。
【００５０】
（２）毛髪の伸び、伸びの保持性、艶および均一なスベリ（滑り）感
　上記実施例１〜２および比較例１〜２でストレートパーマ処理をした試料毛束の伸び、伸びの保持性（３カ月後の伸びで評価）、艶および均一なスベリ感について官能評価を行なった。その結果を表３に示す。ただし、表３への評価結果の表示にあたっては、評価結果を次の基準により記号化して示す。
　　　◎：非常に良好である。
　　　〇：良好である。
　　　△：少し悪い。
　　　×：悪い。
【００５１】
（３）毛髪の引っ張り強度の測定
　上記実施例１〜２および比較例１〜２でストレートパーマ処理をした試料毛束から毛髪をそれぞれ１０本採取し、毛先から５ｃｍおよび６ｃｍの両端部分を１ｃｍ幅のガラス繊維入りテープで止めて、毛先から５ｃｍの部分と６ｃｍの部分との間で破断が生じ得るようにしておき、マイクロメーターで毛髪の長径および短径を測定した。この試料を蒸留水に１昼夜浸けた後、レオメーターを用いて破断重量を測定し、下記の式により、毛髪の引っ張り強度を求めた。その結果を表４に示す。
【００５２】
　　　　　　　　　　　　　　　　　　　　　Ｄ×４
　毛髪の引っ張り強度（ｇ／μｍ 2）＝──────────×１００
　　　　　　　　　　　　　　　　　　　Ｅ×Ｆ×３．１４
　　Ｄ：破断重量（ｇ）
　　Ｅ：毛髪の長径（μｍ）
　　Ｆ：毛髪の短径（μｍ）
【００５３】
（４）毛髪の収縮率の測定
　ストレートな毛髪で作製した毛束に実施例１〜２および比較例１〜２のストレートパーマ処理と同様の処理をした試料毛束の一端をパネルに固定して垂らし、全長を測定し、下記の式により、毛髪の収縮率を求めた。その結果を表５に示す。
【００５４】
　　　　　　　　　　　　　Ｇ−Ｈ
　毛髪の収縮率（％）＝───────×１００
　　　　　　　　　　　　　　Ｇ
　　　Ｇ：処理前の毛束の全長（ｍｍ）
　　　Ｈ：処理後の毛束の全長（ｍｍ）
【００５５】
　上記のような測定結果および評価結果を表２〜表５に示すが、表によっては必要に応じて未処理毛についての測定結果や評価結果も併せて示す。
【００５６】
【表２】
2004002459.tif 000004
【００５７】
【表３】
2004002459.tif 000005
【００５８】
【表４】
2004002459.tif 000006
【００５９】
【表５】
2004002459.tif 000007
【００６０】
　表２〜表４に示す結果から明らかなように、実施例１〜２は、ストレート率およびストレート保持率が高く、ストレートパーマ処理後の毛髪の艶、均一なスベリ感が優れ、しかも高い引っ張り強度を有していた。
【００６１】
　この実施例１〜２を、同様にヘアーストレート用アイロンを用いてストレートパーマ処理した比較例１と比較すると、実施例１〜２は、ストレート率やストレート保持率に関して比較例１と同程度であるが、比較例１に比べて、ストレートパーマ処理後の毛髪の艶、均一なスベリ感が優れ、かつ高い引っ張り強度を有していて、ストレートパーマ処理による毛髪の損傷が少ないことを示していた。
【００６２】
　また、実施例１〜２を、ヘアーストレート用アイロンを用いずにストレートパーマ処理した比較例２と比較すると、実施例１〜２は、比較例２に比べて、ストレート率やストレート保持率がはるかに優れていた。
【００６３】
　表５に示す毛髪の収縮率は、本発明によれば、毛髪に損傷を与えることなく、縮毛に対して優れたストレート効果およびその保持性を有するストレートパーマを付与できることを理論的に証明する資料となるものであるが、これについて説明すると、まず、ヘアーストレート用アイロンを用いていない比較例２では、ヘアーストレート用アイロンを用いた実施例１〜２や比較例１に比べて、収縮率が非常に小さい。これは、ヘアーストレート用アイロンを用いていない比較例２では、毛髪の表面だけストレートパーマ処理が行なわれ、毛髪の組織内にはストレートパーマ処理が行き渡っていないことを示している。これを逆の面からいうと、ヘアーストレート用アイロンを用いた実施例１〜２や比較例１では、ストレートパーマ処理が毛髪の組織内まで及んでいることを示している。なお、この表５に示す毛髪の収縮率は、毛髪にウエーブがかかったために見掛け上収縮したことを示すものではなく、真っ直ぐな状態で収縮した割合を示している。
【００６４】
　そして、同様にヘアーストレート用アイロンを用いた実施例１〜２と比較例１とを比較すると、比較例１は実施例１〜２に比べて収縮率が大きくなっている。これは、比較例１では毛髪の組織内への還元が行きすぎていることを示しているものと考えられ、そのため、表４に示すように毛髪の引っ張り強度が低下し、また、表３に示すように毛髪の艶や均一なスベリ感が悪くなっている。
【００６５】
　これに対して、実施例１〜２では、毛髪の収縮率が８．４％、７．４％と、１０％以内に留まっていて、毛髪の組織内まで還元作用が行き及んでいるものの、還元が行きすぎることがなく、その結果、表２に示すように高いストレート率およびストレート保持率が得られるものの、表３〜表４に示すように、ストレートパーマ処理後の毛髪の引っ張り強度が高く、かつ毛髪の艶、均一なスベリ感が優れている。本発明者の検討によれば、この毛髪の収縮率は５〜１０％の範囲内にあることが適切であることが判明している。
【００６６】
　また、実施例１〜２間で比較すると、実施例２の方が実施例１より毛髪の艶や均一なスベリ感が優れている。これは、実施例２のパーマネントウエーブ用第１剤に含有させたカルボキシメチルセルロース、プルラン、Ｎ−〔２−ヒドロキシ−３−〔３−（ジヒドロキシメチルシリル）プロポキシ〕プロピル〕加水分解コラーゲンなどがヘアーストレート用アイロンを用いたストレート化処理においてヘアーストレート用アイロンの熱から毛髪を保護したことによるものと考えられる。
【図面の簡単な説明】
【００６７】
【図１】本発明のパーマネントウエーブ用第１剤を用いて、ストレートパーマ処理を行なう際に使用するヘアーストレート用アイロンの一例を模式的に示す斜視図である。
【図２】図１に示すヘアーストレート用アイロンの組み立て前の斜視図である。
【符号の説明】
【００６８】
　１　　本体
　２　　挟み部材
　４　　握り部
　５　　支点部
　６　　プレート部
　７　　凹所
　Ｈ　　ヒーター
　８　　プレート
　１２　バネ
　１３　バネ受け
　１４　突条
　１５　レバー部
　１６　支点部
　１７　プレート部
　１８　プレート
　２１　孔
　２２　回動軸
　２３　穴
【図１】
2004002459.tif 000008
【図２】
2004002459.tif 000009